(57)【要約】【課題】ケーブルの所望の部位を任意の場所や支持体等に簡単に固定できると共にケーブルが固定部から抜け落ちることを防止した固定具付きケーブルを提供する。【解決手段】所望長さのケーブル１に任意数のケーブル固定具２を軸方向へ移動自在に嵌合して設ける。ケーブル１の両端にコネクター３，４等を取り付ける。固定具２は両端を開口した筒状体２２で構成した固定具本体２１と、固定具本体２１を固定する当接面２３に設けた粘着剤層２４とを備える。固定具２をケーブル１の所望の部位に移動し、固定具２を壁その他の支持体等に粘着（接着）することにより、ケーブルの所望の部位を固定する。【選択図】図１
2005278282.tif 000002
【特許請求の範囲】
【請求項１】
所望長さのケーブルと、このケーブルに軸方向へ移動可能に嵌合して設けた任意数のケーブル固定具とを備え、
前記固定具は、両端を開口した筒状体で構成した固定具本体と、この固定具本体を固定する当接面に設けた粘着剤層とを有してなることを特徴とする、
固定具付きケーブル。
【請求項２】
前記ケーブルの両端にコネクターその他の機器や部品が取付けてあることを特徴とする、請求項１に記載の固定具付きケーブル。
【請求項３】
前記固定具本体の当接面は、前記筒状体の外壁面に形成された平坦面で構成されていることを特徴とする、請求項１又は２に記載の固定具付きケーブル。
【請求項４】
前記固定具本体は前記筒状体と一体的に形成した平板状の基板体を有し、前記当接面は前記基板体で構成されていることを特徴とする、請求項１又は２に記載の固定具付きケーブル。
【発明の詳細な説明】
【技術分野】
【０００１】
本発明は固定具付きケーブルに関する。さらに詳しくは各種の電子機器、通信機器、ＡＶ機器、電気機器等の接続や配線その他に使用する固定具付きケーブルに関する。
【背景技術】
【０００２】
従来、例えば各種の電子機器、通信機器、ＡＶ機器、電気機器等の接続や配線等に際し、ケーブルの所望の部位を壁、その他の任意の場所等に固定する場合、一般にクランプその他のケーブル固定具を用いて行われている。
【０００３】
従来のケーブル固定具として、例えば図５に示すものが知られている。以下、図５に示すケーブル固定具（従来例１）について説明する。このケーブル固定具５０は、硬質プラスチック製の固定具本体５１と、この本体５１を壁その他の支持体（図示せず）に当接して固定する当接面に設けた粘着剤層５２と、この層５２上に添着した剥離テープ５３とを備えている。
固定具本体５１は両端を開口した筒状体５４で構成され、前記当接面は筒状体５４の一部を平板部５５で形成して構成してある。そして、筒状体５４には、筒状体５４の一端から他端に掛けて長手方向に向けて形成したケーブル（図示せず）挿入用のスリット５６が設けてある。
【０００４】
従来例１のケーブル固定具５０は上記のように構成され、ケーブル（図示せず）をスリット５６を通して筒状体５４に挿入し、剥離テープ５３を剥して粘着剤層５２の面を壁その他の任意の場所や支持体等に押し付けて粘着し、固定するものである。これにより、ケーブルの所望の部位を任意の場所や支持体等に固定することができる。しかし、従来例１はケーブルをスリットを通して筒状体内に挿入する作業が煩雑で手間が掛ると共に、ケーブルがスリットとから抜け落ちる問題を有している。
【０００５】
従来の他のケーブル固定具として、平板状の基板の一方の面に粘着剤層を設けると共に基板の他方の面にフック状の湾曲体を設け、湾曲体にケーブルを挿入し、基板を支持体に固定するように構成したもの（従来例２）、或いは、従来例２の前記フック状の湾曲体に代え、基板の他方の面にケーブル挿入用のスリットを形成した円筒体を設けたものが提案されている（例えば、特許文献１参照）。
従来例２及び３によれば、ケーブルの所望の部位を任意数の場所や支持体等に固定することができる。しかし従来例２はケーブルがフック状の湾曲体から抜け落ちる恐れがあり、また、従来例３は従来例１と同様にケーブルをスリットを通して円筒体に挿入する作業が煩雑で手間が掛る等の問題を有している。
【特許文献１】特開平８−４７４４号公報
【発明の開示】
【発明が解決しようとする課題】
【０００６】
本発明は上記のような実情に鑑みてなされたもので、ケーブルの所望の部位を任意の場所や支持体等に簡単かつ整然と固定することができると共に固定部からケーブルが抜け落ちることを防止した固定具付きケーブルを提供することを目的とするものである。
【課題を解決するための手段】
【０００７】
上記目的を達成するため、本発明のうち、請求項１に記載の発明は、固定具付きケーブルであって、所望長さのケーブルと、このケーブルに軸方向へ移動可能に嵌合して設けた任意数のケーブル固定具とを備え、前記固定具は、両端を開口した筒状体で構成した固定具本体と、この固定具本体を固定する当接面に設けた粘着剤層とを有してなることを特徴とする。
なお、この明細書（特許請求の範囲も含む）において、「ケーブル」の用語と「コード」の用語は同義語として用いられている。本発明の固定具付きケーブルは、各種の電子機器、通信機器、ＡＶ機器、電気機器等の接続コード（ケーブル）、配線コード（ケーブル）、延長コード（ケーブル）、アンテナコード（ケーブル）、或いは光ファイバーケーブル等、全てのケーブルに適用される。
【０００８】
請求項２に記載の発明は、請求項１に記載の固定具付きケーブルにおいて、前記ケーブルの両端にコネクターその他の機器や部品が取付けてあることを特徴とする。本発明において、コネクターとしては、例えば、プラグ、ジャック、或いはソケット等が挙げられる。また、その他の機器や部品は、特に限定するものではなく、目的や用途等に応じて選択するものであるが、例えば、各種のアダプター、操作用機器、トリガー用等のＯＮ・ＯＦＦスイッチボタン、各種センサー等を挙げることができる。但し、上記例示したものに限定されるものではない。
【０００９】
請求項３に記載の発明は、請求項１又は２に記載の固定具付きケーブルにおいて、前記固定具本体の当接面は、前記筒状体の外壁面に形成された平坦面で構成されていることを特徴とする。
【００１０】
請求項４に記載の発明は、請求項１又は２に記載の固定具付きケーブルにおいて、前記固定具本体は前記筒状体と一体的に形成した平板状の基板体を有し、前記当接面は前記基板体で構成されていることを特徴とする。
【発明の効果】
【００１１】
本発明によれば、ケーブル固定具はケーブルに移動自在に嵌合して設けてあるので、固定具をケーブルの所望の部位へ移動し、任意の場所や支持体等へ固定具本体の粘着剤層の面を押し付けることによりケーブルの所望の部位を任意の場所や支持体へ固定することができる。したがって、ケーブルの固定作業を簡単に行なえる。また、ケーブルが固定具から抜け落ちるのを防止することができる。
【発明を実施するための最良の形態】
【００１２】
以下、本発明の実施の形態の一例を説明する。
【００１３】
図１は本発明の固定具付きケーブルの一実施の形態を示すものであって、同図面は全体構成の概要を示す側面図、同図ｂは同図ａのＡ−Ａ線拡大断面図、同図ｃはケーブル固定具の部分を拡大して示す側面図である。
【００１４】
上記図において、この実施の形態（実施の形態１）の固定具付きケーブルは、ケーブル１と、このケーブル１に軸方向へ移動可能に嵌合して設けた任意数（図示では３個）のケーブル固定具２とを備えている。
【００１５】
ケーブル１は所望の長さに形成される。実施の形態１のケーブル１は任意数（図示では４本）の伝導体１１を絶縁性の保護被覆１２で被覆した電話機その他の通信機器に構成されている。ケーブルの両端にはコネクター３，４が取付けてある。実施の形態１のコネクター３，４はモジュラープラグ３１，４１で構成したものが開示されている。
【００１６】
前記ケーブル固定具２はコネクター３，４或いは一方のコネクター３又は４を取付ける前にケーブル１に嵌合して設けられる。前記固定具２を設ける個数はケーブル１の長さに応じて適当に決定する。例えば約５０ｃｍないし約１００ｃｍにつき１個の割合程度に決定できる（但し、上記に限定するものではない）。
【００１７】
前記固定具２は、両端を開口した筒状体２２で構成した固定具本体２１と、この本体２１を図示しない室内の壁その他の場所や机その他の任意の支持体等に当接して固定する当接面２３に設けた粘着剤層２４と、この粘着剤層２４上に添着した剥離テープ２５とを有している。
【００１８】
前記固定具本体２１は硬質又は軟質性のプラスチックやアルミ合金その他の金属等で構成されている。前記本体２１の筒状体２２はケーブル１の断面の形状及び大きさ等に対応する形状及び大きさに形成されている。筒状体２２の長さは適当に決定するものであるが、例えば約２ｃｍないし約５ｃｍ程度の範囲に形成することができる。但し、前記範囲に限定するものではない。
また、前記当接面２３は、筒状体２２の一部（図１ｂ、ｃにおいて下部）を平板状に形成し、この平板状の面（平坦面）で構成されている。
【００１９】
前記粘着剤層２４は当接面に接着した両面粘着テープ等で構成することができる。この場合、液状接着剤等を当接面に塗布する構成を採用することもできる。前記剥離テープ２５は、使用時、つまり、固定具２を任意の場所等へ粘着（接着）する際に剥離する。
【００２０】
上記構成により、ケーブル１を任意の場所等へ固定する部位に固定具２を移動（摺動）し、その状態でテープ２５を剥離して固定具本体２１を固定する場所や支持体等へ押し付けることにより、本体２１は粘着（接着）して固定される。したがって、ケーブル１の所望の部位を壁や支持体等へ固定することができる。
また、固定具本体２１を軟質性のプラスチックで構成した場合には、例えば、支持体等がパイプや湾曲面等に形成されている場合においても、固定具本体２１を支持体等へ強く押し付けることにより当接面が支持体等の面の形状に適合するように湾曲等、変形してフィットし、粘着固定することができる。
【００２１】
なお、実施の形態１では、ケーブル１の両端にモジュラープラグ３１，４１を取付けた場合を開示したが、ケーブルの一端に各種のプラグを取付けると共に他端にジャックやソケットを取付けてもよい。また、前記コネクター３，４に代え、例えば、各種のアダプター、操作用機器、トリガー用等のＯＮ・ＯＦＦスイッチ、或いは各種のセンサー等を取付ける等、目的や用途等に応じて所望の機器や部品を取付ける構成を採用することができる。この点に関しては、後述する各実施の形態においても同様である。
【００２２】
図２は本発明の固定具付きケーブルのそれぞれ他の実施の形態を示す説明図である。これらの固定具付きケーブルにおいて、実施の形態１で既に説明した構成と共通する部材等には同一符号を付して、説明は省略する。
【００２３】
図２ａに示す固定具付きケーブルは、電源コード用、図２ｂはアンテナコード用、図２ｃ及びｄはＡＶケーブル用に構成した一例を示す。これらの各実施の形態の固定具本体２１の筒状体２２はそれぞれのケーブル１の断面形状及び大きさ等に対応する形状及び大きさに形成されている。他の構成は実施の形態１と同様である。
これらの各実施の形態の固定具付きケーブルは上記のように構成し、実施の形態１と同様に使用するものである。これにより実施の形態１と同様に作用し、効果を発揮する。
【００２４】
図３は本発明の固定具付きケーブルのさらに他の実施の形態を示す説明図である。この固定具付きケーブルにおいて、実施の形態１で既に説明した構成と共通する部材等には同一符号を付し、説明は省略する。この実施の形態は固定具本体に基板体を設けた構成に特徴がある。
【００２５】
即ち、図３の実施の形態は、固定具体２１の筒状体２２に、筒状体２２と一体的に形成した平板状の基板体２６を有している。そして、前記基板体２６で前記当接面２３を構成してある。他の構成は実施の形態１と同様である。
【００２６】
図３の実施の形態は上記のように構成し、実施の形態１と同様に使用するものである。これにより実施の形態と同様の作用効果を奏する。なお、図３に示す実施の形態の固定具付きケーブルは、固定具本体２１の筒状体２２に基板体２６を形成してあるので、当接面２３の面積が大きくなる。したがって、実施の形態１の作用効果に加え、固定具本体２１の粘着固定作用を増大することができる。
【００２７】
次に本発明の固定具付きケーブルの使用例につき図４を参照して説明する。図４は使用例の一例を示す説明図である。図４において、実施の形態１（図１）で既に説明した構成と共通する部材等には同一符号を付し、説明は省略する。
【００２８】
図４ａは電話機５を電話回線用差込口６に接続した使用例を示すものである。このように使用すると、ケーブル１の所望の部位は、ケーブル固定具２により、壁その他の任意の支持体等に簡単、かつ安定して整然と固定されて配線される。
図４ｂはパソコン７をプリンター８に接続した使用例を示すものである。この使用例によれば、前記使用例と同様に、ケーブル１の所望の部位は、固定具２により、壁その他の任意の支持体等に簡単、かつ安定して整然と固定されて配線される。
【００２９】
なお、上記した使用例は一例として開示したもので、本発明の固定具付きケーブルは上記使用例に限定するものではなく、上記以外の各種の用途に使用できること勿論である。
【００３０】
また、上記した各実施の形態は一例として開示したもので、本発明はこれらの実施の形態に限定されるものではなく、特許請求の範囲に記載の技術思想を越脱しない範囲内において任意に変更可能なものである。
【図面の簡単な説明】
【００３１】
【図１】本発明の固定具付きケーブルの一実施の形態を示すものであって、同図ａは全体の構成の概要を示す側面図、同図ｂは同図ａのＡ−Ａ線拡大断面図、同図ｃはケーブル固定具の部分を拡大して示す一部を断面とした側面図である。
【図２】本発明の固定具付きケーブルのそれぞれ他の実施の形態を示すものであって、同図ａは電源コードの一例、同図ｂはアンテナケーブルの一例、同図ｃ及び同図ｄはＡＶケーブルの一例を示す説明図である。
【図３】本発明の固定具付きケーブルのさらに他の実施の形態を示す説明図である。
【図４】本発明の固定具付きケーブルの使用状態の一例を示すもので、同図ａは電話機を回線差込口に接続した状態を示す説明図、同図ｂはパソコンとプリンターとを接続した状態を示す説明図である。
【図５】従来のケーブル固定具の一例を示す図であって、同図ａは側面図、同図ｂは同図ａのＢ−Ｂ線拡大断面図である。
【符号の説明】
【００３２】
１    ケーブル
２    ケーブル固定具
３    コネクター
４    コネクター
２１  固定具本体
２２  筒状体
２３  当接面
２４  粘着剤層
【図１】
2005278282.tif 000003
【図２】
2005278282.tif 000004
【図３】
2005278282.tif 000005
【図４】
2005278282.tif 000006
【図５】
2005278282.tif 000007